(57)【要約】  【課題】隣接する弦の振動によるクロストークを防止することができるピックアップ装置を提供する。【解決手段】ピックアップ２１ａは、ピックアップ２１ａのＮ極を形成するポールピース３１とＳ極を形成するポールピース３２とが対向して配置される方向Ａが、弦１０８ａの長手方向と、時計回りに角度αを有して配置される。一方、ピックアップ２１ｂは、ピックアップ２１ｂのＮ極を形成するポールピース３１とＳ極を形成するポールピース３２とが対向して配置される方向Ｂが、弦１０８ａの長手方向と、反時計回りに角度αを有して配置される。各ピックアップ２１ａ，２１ｂにより形成される磁力線の方向は、平行とはならず、所定の角度を有するので互いに与える影響を少なくすることができる。  【選択図】    図２
2006189666.tif 000002
【特許請求の範囲】
【請求項１】
複数の弦にそれぞれ対向し各弦の振動を独立して検出する複数のピックアップを備えたピックアップ装置において、
前記ピックアップは、弦に対向する側にＮ極とＳ極との２つの磁極を有するハムバッキング型のピックアップであり、その２つの磁極が対向する方向は、弦の長手方向に対して少なくとも２０度の角度を有するとともに、隣り合うピックアップは、その２つの磁極が対向する方向が弦の長手方向に対して互いに相反する方向へ前記角度を有して配置されていることを特徴とするピックアップ装置。
【請求項２】
前記複数のピックアップは、隣り合うピックアップが、弦の長手方向において、少なくとも前記２つの磁極の距離だけ異なる位置に配置されていることを特徴とする請求項１記載のピックアップ装置。
【請求項３】
複数の弦にそれぞれ対向し各弦の振動を独立に検出する４以上の複数のピックアップを備えたピックアップ装置において、
前記ピックアップは、弦に対向する側にＮ極とＳ極との２つの磁極を有するハムバッキング型のピックアップであり、隣り合うピックアップが、弦の長手方向において少なくとも前記２つの磁極の距離だけ異なる位置に交互に配置されていることを特徴とするピックアップ装置。
【発明の詳細な説明】
【技術分野】
【０００１】
本発明は、弦楽器が有する複数の弦の弦振動を独立に検出するピックアップ装置に関する。
【背景技術】
【０００２】
従来、ギターシンセサイザに適用されるピックアップ装置は、電気ギターなどに装着され、電気ギターの各弦の振動を独立して検出するように形成されている。図４は、従来のギターシンセサイザ用のピックアップ装置５０を装着した電気ギター１００の一部を示す図である。
【０００３】
図４に示すように、ピックアップ装置５０は、６つのピックアップ２１（２１ａ〜２１ｆ）を有し、電気ギター１００に設けられた６本の弦１０８（１０８ａ〜１０８ｆ）とボディ１０４との間にそれぞれのピックアップ２１ａ〜２１ｆが弦と対向して配置される。
【０００４】
ピックアップ装置５０は、両面テープによりボディ１０４に固着されるが、ピックアップ装置５０の両端に設けられたビス孔４９を介してボディ１０４に固定してもよい。各ピックアップ２１が検出した電気信号は、ケーブル１０６を介して制御装置１２０へ供給され、制御装置１２０に接続されるケーブル１２５を介してギターシンセサイザに送られる。
【０００５】
電気ギター１００には、メーカにより固着されたピックアップ装置６０が設けられている。このピックアップ装置６０は、６弦に対して共通のコイルが形成されるものであって、このピックアップ装置６０により検出された電気信号は、ボディ１０４に設けられた出力ジャック１１２から出力される。
【０００６】
６本の弦の一端は、ブリッジ１１０に固定され、ブリッジ１１０は、図示しない軸を中心に揺動するように構成されている。トレモロアーム１１０を操作しない状態では、図示しないバネにより、弦を張る方向にブリッジが付勢されている。トレモロアーム１１０をボディ１０４に近づけるように操作すると、バネの張力に抗して軸を中心にブリッジが揺動し、弦に加えられる張力が弱くなり、弦の振動数が小さくなる。従ってこのトレモロアーム１１０をボディ１０４に近づけたり遠ざけたりすることにより、音高を上下することができる。
【０００７】
ピックアップ装置５０は、ピックアップ装置６０とブリッジ１１０との間の空間に装着されている。また、電気ギター１００の出力ジャック１１２は、ケーブル１１４を介して制御装置１２０に接続され、制御装置１２０において、ピックアップ装置５０から入力した電気信号と合成、あるいは切替えられていずれかの電気信号がケーブル１２５を介して出力される。
【０００８】
次に、図５を参照して、ピックアップ２１について説明する。図５（ａ）は、ピックアップ２１の外観斜視図であり、図５（ｂ）は、ピックアップ２１の分解斜視図である。このピックアップ２１は、ハムバッキング型と呼ばれるもので、弦に対向する側に、Ｎ極を有し永久磁石により形成されるポールピース３１と、ポールピース３１に対向するとともに、弦に対向する側にＳ極を有し永久磁石により形成されるポールピース３２と、ポールピース３１の周囲を囲むように配設されるコイル３５とポールピース３２の周囲を囲むように配設されるコイル３６と、ポールピース３１と３２とを連結する永久磁石３３とにより構成されている。
【０００９】
コイル３５とコイル３６とは、逆相になるように互いに反対方向に巻かれており、直列に接続されている。その結果、弦振動に対しては、起電力を生じ、外部誘導雑音に対しては、打ち消し合うように構成されている。
【特許文献１】特許第２９８５０６１号公報
【発明の開示】
【発明が解決しようとする課題】
【００１０】
上記記特許文献１に記載されたピックアップ装置１００は、隣り合うピックアップが近接しており、隣接する弦が振動すると、その弦に対応するピックアップが形成する磁場が変化し、隣の弦に対応するピックアップが形成する磁場に影響を与え、いわゆるクロストークが発生する。
【００１１】
ギターシンセサイザは、各弦の振動を独立に検出し、その振動からピッチや振幅を検出して各弦の振動に応じた新たな楽音を形成するものである。したがって、クロストークが発生すると、対応する弦のピッチや振幅を正確に検出することができなくなる。
【００１２】
図６は、６本の弦の内、弦１０８ａ，１０８ｂにそれぞれ対向して配置されたピックアップ２１ａ，２１ｂを示す平面図であり、各ピックアップ２１ａ，２１ｂのＮ極のポールピース３１からＳ極のポールピース３２へ向かう磁力線が示されている。例えば、弦１０８ｂが弾かれて振動すると、ピックアップ２１ｂが形成する磁力線が変化し、隣のピックアップ２１ａが形成する磁力線に影響を与える。この結果、弦１０８ａが振動していない場合に、ピックアップ２１ａに出力が検出されることになる。
【００１３】
また、弦１０８ａが振動している場合には、弦１０８ｂの振動による影響がピックアップ２１ａの出力に混合され、弦１０８ａの振動のピッチや振幅を正確に検出できないという問題点があった。
【００１４】
本発明は、上記問題点を解決するためになされたもので、隣接する弦の振動によるクロストークの発生を防止することができるピックアップ装置を提供することを目的とする。
【課題を解決するための手段】
【００１５】
この目的を達成するために、請求項１記載のピックアップ装置は、複数の弦にそれぞれ対向し各弦の振動を独立して検出する複数のピックアップを備えたものであって、前記ピックアップは、弦に対向する側にＮ極とＳ極との２つの磁極を有するハムバッキング型のピックアップであり、その２つの磁極が対向する方向は、弦の長手方向に対して少なくとも２０度の角度を有するとともに、隣り合うピックアップは、その２つの磁極が対向する方向が弦の長手方向に対して互いに相反する方向へ前記角度を有して配置されている。
【００１６】
請求項２記載のピックアップ装置は、請求項１記載のピックアップ装置において、前記複数のピックアップは、隣り合うピックアップが、弦の長手方向において、少なくとも前記２つの磁極の距離だけ異なる位置に配置されている。
【００１７】
請求項３記載のピックアップ装置は、複数の弦にそれぞれ対向し各弦の振動を独立に検出する４以上の複数のピックアップを備えたものであって、前記ピックアップは、弦に対向する側にＮ極とＳ極との２つの磁極を有するハムバッキング型のピックアップであり、隣り合うピックアップが、弦の長手方向において少なくとも前記２つの磁極の距離だけ異なる位置に交互に配置されている。
【発明の効果】
【００１８】
請求項１記載のピックアップ装置によれば、ピックアップは、弦に対向する側にＮ極とＳ極との２つの磁極を有するハムバッキング型のピックアップであり、その２つの磁極が対向する方向は、弦の長手方向に対して少なくとも２０度の角度を有するとともに、隣り合うピックアップは、その２つの磁極が対向する方向が弦の長手方向に対して互いに相反する方向へ前記角度を有して配置されているので、Ｎ極とＳ極との２つの磁極が形成する磁力線の方向は、隣のピックアップが形成する磁力線の方向と少なくとも４０度の角度を有することになり、隣の弦の振動による磁力線の変化の影響を少なくしクロストークを防止することができるという効果がある。
【００１９】
請求項２記載のピックアップ装置は、請求項１記載のピックアップ装置において、前記複数のピックアップは、隣り合うピックアップが、弦の長手方向において少なくとも前記２つの磁極の距離だけ異なる位置に配置されているので、より隣の弦の振動によるピックアップの磁力の変化の影響を受けにくくなるという効果がある。
【００２０】
請求項３記載のピックアップ装置の複数のピックアップは、隣り合うピックアップが、弦の長手方向において少なくとも２つの磁極の距離だけ異なる位置に配置されているので、隣り合うピックアップが形成する磁場が重複しにくくなり、隣の弦の振動により隣のピックアップの磁力線の変化の影響を受けにくくなるという効果があるとともに、複数のピックアップは、弦の長手方向において、交互に異なる位置に配置されるので、大きなスペースを必要とせず、既存の電気ギターのピックアップ装置とブリッジとの間などに装着することができる。
【発明を実施するための最良の形態】
【００２１】
以下、本発明の好ましい第１の実施形態について、添付図面を参照して説明する。図１（ａ）は、本発明によるピックアップ装置１の外観平面図であり、図１（ｂ）は、図１（ａ）のＡ−Ａ線断面図である。なお、図４，図５および図６を参照して説明した従来のピックアップ装置５０と同一の部分については、同一の符号を付してその説明は省略し、異なる部分についてのみ説明する。
【００２２】
このピックアップ装置１は、６つのピックアップ２１ａ〜２１ｆがピックアップ基板２０に装着され、ピックアップ基板２０は、板バネ４２に固着されてケース４０を構成するトップケース４０ａとボトムケース４０ｂとの内部に収容されている。
【００２３】
ピックアップ装置１の長手方向のほぼ中央には、板バネ４２のアール（曲率）を調節する調整ネジ７０が備えられている。電気ギター１００の６本の弦１０８は、メーカや機種により弦に対して垂直方向の弦が形成するアール（曲率）が異なり、この調整ネジを調整することにより、６本の弦１０８にそれぞれ対応するピックアップ２１の弦との距離を調整することができる。
【００２４】
ピックアップ２１の磁極のうち弦に対向する側において、Ｎ極を形成するポールピース３１とＳ極を形成するポールピース３２とが対向する方向が、弦の長手方向と３０度の角度を形成するように配置されるとともに、隣り合うピックアップは、弦の長手方向に対して互いに反対方向へ前記角度を有している。
【００２５】
図２は、ピックアップの配置を詳細に示す平面図である。ピックアップ２１ａは、ピックアップ２１ａのＮ極を形成するポールピース３１とＳ極を形成するポールピース３２とが対向して配置される方向Ａが、弦１０８ａの長手方向と、時計回りに角度αを有して配置される。一方、ピックアップ２１ｂは、ピックアップ２１ｂのＮ極を形成するポールピース３１とＳ極を形成するポールピース３２とが対向して配置される方向Ｂが、弦１０８ａの長手方向と、反時計回りに角度αを有して配置される。
【００２６】
図２に示すように、各ピックアップ２１ａ，２１ｂにより形成される磁力線の方向は、平行とはならず、所定の角度を有する。従って一方の磁力線の方向に対して、他方の磁力線の密度が低くなり、互いに与える影響を少なくすることができる。また、ピックアップ２１ａ，２１ｂとは、弦１０８の長手方向において、ほぼ同じ位置に配置されているので、ピックアップ装置１の幅を狭く形成することができる。よって、電気ギター１００に予め備えられているピックアップ６０とブリッジ１１０との間が狭い場合であっても、電気ギター１００に装着することができる。なお、角度αは、図２において約３０度にしたが、少なくとも２０度とすることにより本発明の効果を得ることができる。この角度の最適な値は、ポールピース３１と３２との距離や弦と弦との距離などにより変化する。
【００２７】
次に、図３を参照して他の実施形態について説明する。第１の実施形態と同一の部分については、同一の符号を付してその説明は省略し、異なる部分についてのみ説明する。
【００２８】
図３（ａ）は、第２の実施形態を示すピックアップ装置１の平面図である。第１の実施形態では、６つのピックアップ２１ａ〜２１ｆは、弦の長手方向において、ほぼ同一の位置に配置されたが、第２の実施形態では、隣り合うピックアップ２１を弦の長手方向において、異なる位置に配置している。各ピックアップ２１のポールピース３１とポールピース３２との間の距離をＬ１とすると、ピックアップ２１ａの中心位置とピックアップ２１ｂの中心位置との、弦の長手方向の距離Ｌ２は、距離Ｌ１より大きい位置としている。
【００２９】
このことにより、それぞれのピックアップ２１が形成する磁力線の間の隔たりが大きくなり、互いに与える影響をより小さくすることができる。
【００３０】
図３（ｂ）は、第３の実施形態を示すピックアップ装置１の平面図である。第１の実施形態および第２の実施形態では、いずれも弦の長手方向に対して、ピックアップ２１の２つのポールピースが対向する方向を所定の角度を有するように配置したが、この第３の実施形態では、ピックアップ２１を、弦の長手方向と、ピックアップ２１の２つのポールピースが対向する方向とを一致するように配置し、隣り合うピックアップ２１の弦の長手方向の位置を異なるように配置している。図３（ｂ）の例では、ピックアップ２１ａのＳ極のポールピース３２とピックアップ２１ｂのＮ極のポールピース３１とを、弦の長手方向において、同じ位置に配置している。このことにより、弦は、ポールピース３１，３２が形成する磁力線の最も密度が高い方向に振動するので、大きな出力が得られるとともに、隣り合うピックアップ２１とは、形成される磁場が離れるために、クロストークを小さくすることができる。
【００３１】
また、図３（ａ）および図３（ｂ）の場合に、３以上の複数のピックアップ２１を、弦の長手方向において、交互に異なる位置（チドリ状）に配置している。このことにより、３以上のピックアップを順に一方向に位置をずらせて配置する場合に比べ、ピックアップ装置１の弦の長手方向の幅を狭く形成することができるので、既存のピックアップ装置６０とブリッジ１１０との間のスペースが狭い電気ギターであっても装着が可能となる。
【００３２】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００３３】
例えば、上記実施形態では、本発明によるピックアップ装置を電気ギター１００に適用したが、電気ベース、電気ピアノ、電気大正琴などに適用してもよい。
【００３４】
また、上記実施形態では、隣り合うピックアップの弦に対向する側がＮ極のポールピース３１とＳ極のポールピース３２は、ブリッジ側に対して同じ位置に配置したが、交互に配置してもよい。すなわち、第１弦のピックアップは、Ｎ極をブリッジから遠い側に、Ｓ極をブリッジに近い側に配置し、第２弦のピックアップは、Ｓ極をブリッジから遠い側に、Ｎ極をブリッジに近い側に配置するというようにしてもよい。
【図面の簡単な説明】
【００３５】
【図１】本発明によるピックアップ装置の外観を示す外観図である。
【図２】ピックアップの配置を示す図である。
【図３】を示す斜視図である。
【図４】従来の技術であるピックアップ装置を装着した電気ギターの外観図である。
【図５】従来の技術であるピックアップを示すもので、（ａ）は、ピックアップの外観を示す斜視図、（ｂ）は、ピックアップの分解斜視図である。
【図６】従来の技術の隣り合うピックアップとの磁場の様子を示す平面図である。
【符号の説明】
【００３６】
１                  ピックアップ装置
２１                ピックアップ
３１，３３          ポールピース（磁極）
１００              電気ギター
【図１】
2006189666.tif 000003
【図２】
2006189666.tif 000004
【図３】
2006189666.tif 000005
【図４】
2006189666.tif 000006
【図５】
2006189666.tif 000007
【図６】
2006189666.tif 000008